(57)【要約】【課題】用紙に画像を記録しなくても原稿の読取り処理だけで裏写りの発生を確実に判定できて、無駄な記録用紙の増加、記録処理時間の増加を抑えることが可能な裏写り判定方法及び画像処理装置を提供する。【解決手段】プラテンカバーのプラテンガラス側の面に設けたシート体を白色にした状態でプリスキャンして第１画像データを取得するとともに、シート体を黒色にした状態で、プリスキャンして第２画像データを取得する（Ｓ１、Ｓ２）。第１画像データと第２画像データとの差分画像データを求め（Ｓ３）、差分画像データにおいて、閾値（ＴＨａ）より画素値が大きい画素の数をカウントする（Ｓ４）。そのカウント値（Ｃ）が第１の閾値（ＴＨｂ）以上であって（Ｓ５：ＮＯ）第２の閾値（ＴＨｃ）以下である場合（Ｓ６：ＮＯ）、つまりカウント値（Ｃ）が所定範囲内である場合（ＴＨｂ≦Ｃ≦ＴＨｃ）、「裏写り発生」と判定する（Ｓ９）。【選択図】図４
2009207093.tif 000002
【特許請求の範囲】
【請求項１】
原稿台に載置される原稿を原稿押さえで押さえた光走査による前記原稿の画像の読取りにおける裏写りの有無を判定する方法において、
前記原稿押さえの前記原稿台側に、第１濃度の色と該第１濃度より高い濃度である第２濃度の色とに変更可能な押さえ面を予め設けておき、
前記原稿台に載置された原稿を前記原稿押さえで押さえ、前記押さえ面を前記第１濃度の色と前記第２濃度の色としてそれぞれ光走査を行って画像データを取得し、
前記押さえ面を前記第１濃度の色とした光走査により取得した第１画像データと前記押さえ面を前記第２濃度の色とした光走査により取得した第２画像データとの差分を表す差分画像データを求め、
求めた差分画像データにあって画素値が所定の閾値より大きい画素を計数し、
計数した値が所定範囲内である場合に裏写り有りと判定することを特徴とする裏写り判定方法。
【請求項２】
原稿台に載置される原稿を原稿押さえで押さえて、光走査により前記原稿の画像を読み取る画像処理装置において、
前記原稿押さえは、第１濃度の色と該第１濃度より高い濃度である第２濃度の色とに変更可能な押さえ面を前記原稿台側に有しており、
前記原稿台に載置された原稿を前記原稿押さえで押さえ、前記押さえ面を前記第１濃度の色と前記第２濃度の色としてそれぞれ光走査を行って画像データを取得する手段と、
前記押さえ面を前記第１濃度の色とした光走査により取得した第１画像データと前記押さえ面を前記第２濃度の色とした光走査により取得した第２画像データとの差分を表す差分画像データを求める手段と、
求めた差分画像データにあって画素値が所定の閾値より大きい画素を計数する計数手段と、
該計数手段による計数値が所定範囲内である場合に裏写り有りと判定する判定手段とを備えており、
前記判定手段にて裏写り有りと判定した場合には、前記押さえ面を前記第２濃度の色として前記原稿の画像を読み取るようにしたことを特徴とする画像処理装置。
【請求項３】
前記計数手段による前記計数値が前記所定範囲より小さい場合には、前記押さえ面を前記第１濃度の色として前記原稿の画像を読み取るようにしたことを特徴とする請求項２記載の画像処理装置。
【発明の詳細な説明】
【技術分野】
【０００１】
本発明は、原稿台に載置された原稿を光走査によって読み取る際に発生する裏写りの有無を事前に判定する裏写り判定方法、及び、該裏写り判定方法による判定結果に応じて適正に原稿を読み取る画像処理装置に関する。
【背景技術】
【０００２】
原稿台（プラテン）に載置された原稿の画像を光走査によって読み取るＦＢＳ（Flat Bed Scanner：フラットベッドスキャナ）方式の画像処理装置の場合には、原稿の浮き、移動を防ぐために、原稿台に載置された原稿を原稿押さえ（プラテンカバー）にて押さえた状態で光走査を行っている。このような画像処理装置にて、表裏両面に印字された薄手の原稿を読み取った場合に、光走査によって取得される画像データに、表面の画像データだけでなく裏面の画像データも含まれてしまうという裏写りが発生することがある。この裏写りは、原稿を透過した光が原稿押さえで反射されて戻ってくることが原因である。
【０００３】
裏写りが発生した場合、表面の本来の画像が見づらくなり、記録用紙も見苦しくなる。そこで、裏写りを防止するために、原稿押さえの原稿台側の面に黒色のバックプレートを使用して原稿を読み取ることが行われている。また、白色／黒色の変色が可能なバックプレートを用いて、通常の読取りの場合にはバックプレートを白色にし、裏写りを防ぎたい場合にはバックプレートを黒色にして読取りを行うようにした技術が提案されている（特許文献１，２）。
【特許文献１】特開２００７−１５０７９２号公報
【特許文献２】特開２００７−３０９９６９号公報
【発明の開示】
【発明が解決しようとする課題】
【０００４】
特許文献１，２にあっては、バックプレートを白色または黒色に設定する必要があるが、この設定はユーザの意向によってなされる。バックプレートを黒色にした場合、薄い原稿を読み取ったときにはバックプレートも読み取って印字された記録用紙が全体的に黒っぽくなってしまう。よって、裏写りが確実に発生する場合に限ってバックプレートを黒色にすることが大切であるが、裏写りが発生するか否かの事前の判断はユーザにとって難しい。その結果、一旦バックプレートを白色にして原稿を読み取って用紙に記録し、その記録用紙にて裏写りが発生したことを確認した場合に、バックプレートを黒色にした後に再度同じ原稿を読み取っているのが現状である。したがって、無駄な記録用紙の増加、記録処理時間の増加を招いているという問題がある。
【０００５】
本発明は斯かる事情に鑑みてなされたものであり、用紙に画像を記録しなくても原稿の読取り処理だけで事前に裏写りの有無を確実に判定できて、無駄な記録用紙の増加、記録処理時間の増加の抑止が可能な裏写り判定方法を提供することを目的とする。
【０００６】
本発明の他の目的は、記録用紙を無駄に使用することなく、裏写りが発生しない読取り処理を効率良く行える画像処理装置を提供することにある。
【課題を解決するための手段】
【０００７】
本発明に係る裏写り判定方法は、原稿台に載置される原稿を原稿押さえで押さえた光走査による前記原稿の画像の読取りにおける裏写りの有無を判定する方法において、前記原稿押さえの前記原稿台側に、第１濃度の色と該第１濃度より高い濃度である第２濃度の色とに変更可能な押さえ面を予め設けておき、前記原稿台に載置された原稿を前記原稿押さえで押さえ、前記押さえ面を前記第１濃度の色と前記第２濃度の色としてそれぞれ光走査を行って画像データを取得し、前記押さえ面を前記第１濃度の色とした光走査により取得した第１画像データと前記押さえ面を前記第２濃度の色とした光走査により取得した第２画像データとの差分を表す差分画像データを求め、求めた差分画像データにあって画素値が所定の閾値より大きい画素を計数し、計数した値が所定範囲内である場合に裏写り有りと判定することを特徴とする。
【０００８】
本発明の裏写り判定方法にあっては、第１濃度の色（例えば白色）と第１濃度より高い濃度である第２濃度の色（例えば黒色）とに変更可能な押さえ面を有する原稿押さえを使用する。そして、本来の原稿の読取りの前に、押さえ面を第１濃度の色として光走査を行って第１画像データを取得するとともに、押さえ面を第２濃度の色として光走査を行って第２画像データを取得する。取得した第１画像データと第２画像データとの差分を表す差分画像データにおいて画素値が所定の閾値より大きい画素の数をカウントする。そのカウント値が所定範囲内である場合に裏写り有りと判定する。
【０００９】
差分画像データにおいてカウントされる画素は、裏写りしている画素、または濃い色の押さえ面を読み取った画素である。押さえ面を読み取るということは原稿が薄いということを意味するので、原稿全体にわたって押さえ面が読み取られる。これに対して、裏写りの画素は原稿の所々で読み取られるだけである。したがって、上記所定範囲を第１の閾値以上第２の閾値以下とした場合、カウント値が第１の閾値未満である場合には「裏写り無し」、カウント値が第２の閾値を超える場合には「厚さが薄い原稿」と判定でき、カウント値が第１の閾値以上第２の閾値以下である（所定範囲内である）場合には「裏写り有り（裏写り発生）」と判定することができる。よって、記録処理を行うことなく、裏写りの有無（裏写りの発生）を正確に検出できる。
【００１０】
本発明に係る画像処理装置は、原稿台に載置される原稿を原稿押さえで押さえて、光走査により前記原稿の画像を読み取る画像処理装置において、前記原稿押さえは、第１濃度の色と該第１濃度より高い濃度である第２濃度の色とに変更可能な押さえ面を前記原稿台側に有しており、前記原稿台に載置された原稿を前記原稿押さえで押さえ、前記押さえ面を前記第１濃度の色と前記第２濃度の色としてそれぞれ光走査を行って画像データを取得する手段と、前記押さえ面を前記第１濃度の色とした光走査により取得した第１画像データと前記押さえ面を前記第２濃度の色とした光走査により取得した第２画像データとの差分を表す差分画像データを求める手段と、求めた差分画像データにあって画素値が所定の閾値より大きい画素を計数する計数手段と、該計数手段による計数値が所定範囲内である場合に裏写り有りと判定する判定手段とを備えており、前記判定手段にて裏写り有りと判定した場合には、前記押さえ面を前記第２濃度の色として前記原稿の画像を読み取るようにしたことを特徴とする。
【００１１】
本発明の画像処理装置にあっては、記録処理に先立って上述したような裏写り判定方法にしたがって、裏写りが発生するか否かを判定し、裏写りが発生すると判定した場合には、裏写りを防止すべく押さえ面を第２濃度の色（例えば黒色）として本来の原稿の読取りを行う。よって、表裏両面に印字された原稿に対して、１回の記録処理にて効率良く、裏写りがない記録用紙が得られる。
【００１２】
本発明に係る画像処理装置は、前記計数手段による前記計数値が前記所定範囲より小さい場合には、前記押さえ面を前記第１濃度の色として前記原稿の画像を読み取るようにしたことを特徴とする。
【００１３】
本発明の画像処理装置にあっては、裏写りが発生しないと判定した場合には、押さえ面を第１濃度の色（例えば白色）として本来の原稿の読取りを行う。よって、表裏両面に印字された原稿に対して、裏写り発生の懸念をユーザに与えることなく読取り処理及び記録処理を行える。
【発明の効果】
【００１４】
本発明の裏写り判定方法では、押さえ面を第１濃度の色としたときの画像データと押さえ面を第２濃度の色としたときの画像データとの差分画像データにおいて所定の閾値より画素値が大きい画素の数が所定範囲内である場合に裏写り有りと判定するようにしたので、用紙に画像を記録しなくても原稿の読取り処理だけで（記録処理に先立って）、裏写りの有無を確実に判定することができて、無駄な記録用紙の増加、記録処理時間の増加を抑えることができる。
【００１５】
本発明の画像処理装置では、裏写りが発生するか否かを事前に判定し、裏写りが発生すると判定した場合には、押さえ面を第２濃度の色として原稿の読取りを行うようにしたので、記録用紙を無駄に使用することなく、裏写りが発生しない読取り処理及び記録処理を効率良く行うことができる。
【００１６】
本発明の画像処理装置では、裏写りが発生しないことが事前に分かるため、ユーザは裏写りの発生を気に懸けることなく読取り処理及び記録処理を行うことができる。
【発明を実施するための最良の形態】
【００１７】
以下、本発明をその実施の形態を示す図面を参照して具体的に説明する。なお、本発明は、以下の実施の形態に限定されるものではない。
【００１８】
図１は、本発明に係る画像処理装置としての複合機の構成例を示すブロック図である。図中１は複合機であり、複合機１は、制御部１０、ＲＯＭ１１、ＲＡＭ１２、ＮＣＵ(Network Control Unit)１３、モデム１４、読取部１５、画像メモリ１６、操作部１７、表示部１８、記録部１９、通信インタフェース２０、コーデック２１等を備えており、夫々はバス２２を介して相互に接続されている。
【００１９】
制御部１０は、具体的にはＣＰＵ(Central Processing Unit) で構成されており、バス２２を介して接続される上述したようなハードウェア各部を制御すると共に、ＲＯＭ１１に格納された制御プログラムに従って、種々のソフトウェア的機能を実現する。ＲＯＭ１１は、複合機１の動作に必要な種々の制御プログラムを予め記憶している。ＲＡＭ１２は、ＤＲＡＭ等で構成され、制御部１０による制御プログラムの実行時に発生するデータを一時的に記憶する。
【００２０】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。
【００２１】
読取部１５は、ＣＣＤ(Charge Coupled Device）等を利用した光走査により原稿を読み取ることにより、原稿の画像データを取得する。なお、読取部１５の構成は、後に詳述する。画像メモリ１６は、ＤＲＡＭにより構成されており、原稿の画像を読み取って得られる画像データ、外部のファクシミリ機から受信した画像データ、通信インタフェース２０を介して外部の装置から受信した画像データなどを記憶する。
【００２２】
操作部１７は、複合機１を操作するために必要な各種のキーを備えている。表示部１８は、液晶ディスプレイ（ＬＣＤ）で構成されており、複合機１の動作状況、複合機１として表示すべき表示画面、操作部１７から入力された文字等を表示する。なお、表示部１８をタッチパネル方式のものとすることにより、操作部１７の各種のキーのうちの一部又は全部を代用することも可能である。記録部１９は、電子写真方式のプリンタ装置であって、読取部１５にて読み取った原稿の画像データ、受信した画像データなどに応じた画像を用紙にプリントアウトする。
【００２３】
通信インタフェース２０は、図示しないネットワークを介して接続される外部のコンピュータ等の装置へ画像データを送信し、また、ネットワークを介して外部の装置から画像データを受信する。コーデック２１は、画像データを所定の方式（例えばＭＨ，ＭＲ，ＭＭＲ，ＪＢＩＧ等）に従って圧縮したり、圧縮された画像データを所定の方式に従って伸長する。
【００２４】
図２、図３は読取部１５の構成例を示す図である。図２の外観斜視図に示すように、読取部１５は、直方体型の筺体３０と、筺体３０上面に設けられた原稿台としての長方形型のプラテンガラス３１と、筺体３０上面の一辺に開閉自在に取り付けられた原稿押さえとしてのプラテンカバー３２とを備えている。
【００２５】
また、プラテンカバー３２のプラテンガラス３１に対向する側の面（原稿押さえ面）には、プラテンガラス３１の読取り領域に対応した広がりを有するシート体３３が設けられている。シート体３３は、マイクロカプセル内粒子の電気泳動を利用し、電圧の印加極性に応じて、第１濃度の色である白色と第２濃度の色である黒色とに変更可能な電子ペーパにて構成されている。電子ペーパは、単独で白色、黒色などの色を表示することができ、近年急速に実用化が進んでおり、容易かつ安価に入手できる。
【００２６】
図３は読取部１５の内部構成図であり、図３は図２において矢符Ａで示す方向から見た図を示している。筺体３０の内部には、白色蛍光灯からなり、プラテンガラス３１上に載置された原稿及びシート体３３に光を照射する光源ランプ３４、原稿及びシート体３３からの反射光の光路を変更する板状の第１ミラー３５、第２ミラー３７及び第３ミラー３８を、夫々所定の位置で、長手方向を主走査方向（図２中のｘで示す方向）に平行に配置してある。光源ランプ３４及び第１ミラー３５は、副走査方向（図２、図３中のｙで示す方向）に、プラテンガラス３１の一端部をホームポジションとして、このホームポジションから他端部までの移動が可能な第１キャリッジ３６に搭載されている。また、第２ミラー３７及び第３ミラー３８は、第１キャリッジ３６の移動に対応して、副走査方向ｙに、プラテンガラス３１の中央部から前記他端部までの移動を行なう第２キャリッジ３９に搭載されている。
【００２７】
更に、筺体３０の内部には、第１ミラー３５、第２ミラー３７及び第３ミラー３８により光路が変更された原稿及びシート体３３からの反射光を集光する結像レンズ４０を備え、結像レンズ４０を通してその反射光が入射されるＣＣＤラインセンサ４１も、長手方向を主走査方向ｘに平行に配置してある。このような構成により、読取部１５は、第１キャリッジ３６及び第２キャリッジ３９を副走査方向ｙに移動させながら、主走査方向ｘを長手方向としたＣＣＤラインセンサ４１により副走査方向ｙに１ラインずつ原稿画像の読取りを行う。
【００２８】
上述した構成により、原稿がプラテンガラス３１に載置されて、シート体３３を設けたプラテンカバー３２が閉じられると、第１キャリッジ３６は、プラテンガラス３１の下面に沿って副走査方向ｙに移動しながら原稿及びシート体３３により反射された反射光を第１ミラー３５により反射させる。また、この反射光を第２ミラー３７及び第３ミラー３８により反射させて所定の光路に変更し、この所定の光路で入射された光を結像レンズ４０を介してＣＣＤラインセンサ４１が受ける。このような光走査によって画像データが取得される。
【００２９】
次に、複合機１の動作について説明する。本発明は、複合機１の読取部１５における読取り処理に特徴があり、特に、本来の原稿読取りの前に行うプリスキャン（予備走査）によって裏写りが発生するか否かを事前に判定する処理と、その判定結果に基づいて本来の原稿読取りを行う処理とに特徴がある。図４は、複合機１における動作手順を示すフローチャートである。
【００３０】
原稿がプラテンガラス３１に載置されて、シート体３３を設けたプラテンカバー３２が閉じられた後、読取部１５は、シート体３３を白色にした状態で、光走査系（第１キャリッジ３６及び第２キャリッジ３９）を副走査方向に移動させてプリスキャンを行って、画像データ（第１画像データ）を取得し、取得した第１画像データを制御部１０へ出力する（ステップＳ１）。また、読取部１５は、シート体３３を黒色にした状態で、光走査系を副走査方向に移動させてプリスキャンを行って、画像データ（第２画像データ）を取得し、取得した第２画像データを制御部１０へ出力する（ステップＳ２）。
【００３１】
制御部１０は、入力された第１画像データと第２画像データとの差分を表す差分画像データを求める（ステップＳ３）。そして、制御部１０は、その差分画像データにおいて、所定の閾値（ＴＨａ）より画素値が大きい画素の数をカウントする（ステップＳ４）。
【００３２】
制御部１０は、そのカウント値（Ｃ）が所定の第１の閾値（ＴＨｂ）より小さいか否かを判断する（ステップＳ５）。カウント値（Ｃ）が所定の第１の閾値（ＴＨｂ）以上である場合（Ｃ≧ＴＨｂ、Ｓ５：ＮＯ）、制御部１０は、第１の閾値（ＴＨｂ）より大きい所定の第２の閾値（ＴＨｃ）より，そのカウント値（Ｃ）が大きいか否かを判断する（ステップＳ６）。
【００３３】
カウント値（Ｃ）が第１の閾値（ＴＨｂ）より小さい場合（Ｃ＜ＴＨｂ、Ｓ５：ＹＥＳ）、制御部１０は、「裏写り無し」と判定する（ステップＳ７）。カウント値（Ｃ）が第２の閾値（ＴＨｃ）より大きい場合（Ｃ＞ＴＨｃ、Ｓ６：ＹＥＳ）、制御部１０は、「厚さが薄い原稿」と判定する（ステップＳ８）。
【００３４】
カウント値（Ｃ）が第１の閾値（ＴＨｂ）以上であって（Ｃ≧ＴＨｂ、Ｓ５：ＮＯ）第２の閾値（ＴＨｃ）以下である場合（Ｃ≦ＴＨｃ、Ｓ６：ＮＯ）、つまりカウント値（Ｃ）が第１の閾値（ＴＨｂ）と第２の閾値（ＴＨｃ）との間の所定範囲内である場合（ＴＨｂ≦Ｃ≦ＴＨｃ）、制御部１０は、「裏写り発生」と判定する（ステップＳ９）。
【００３５】
差分画像データにおいて閾値（ＴＨａ）より画素値が大きくなる画素は、裏写りしている画素、または黒色のシート体３３を読み取った画素である。シート体３３を読み取るということは原稿が薄いということを意味するので、原稿全体にわたってシート体３３が読み取られる。これに対して、裏写りの画素は原稿の所々で読み取られるだけである。したがって、カウント値（Ｃ）が第１の閾値（ＴＨｂ）よリ小さい場合には「裏写り無し」、カウント値（Ｃ）が第２の閾値（ＴＨｃ）よリ大きい場合には「厚さが薄い原稿」と判定でき、カウント値（Ｃ）が第１の閾値以上第２の閾値以下である（所定範囲内である）場合には「裏写り発生」と判定することができる。
【００３６】
図５は、裏写りの発生を判定できる原理を説明するために各画像データに応じた各画像を模式的に示した図である。図５（ａ）は、シート体３３を白色にして取得される第１画像データに応じた画像を示しており、原稿表面の画像（ひらがな）に原稿裏面の画像（英文字）が裏写りしている。図５（ｂ）は、シート体３３を黒色にして取得される第２画像データに応じた画像を示しており、裏写りはなくて原稿表面の画像（ひらがな）のみである。図５（ｃ）は、第１画像データと第２画像データとの差分画像データに応じた画像を示しており、裏写りする原稿裏面の画像（英文字）のみである。
【００３７】
裏写りが発生する場合には、差分画像データにおいて閾値（ＴＨａ）より画素値が大きくなる画素は、裏写りの画像における画素のみであるため、それらの画素の数は所定範囲内に収まる。よって、上記カウント値（Ｃ）が所定範囲内であるとき（ＴＨｂ≦Ｃ≦ＴＨｃ）に、「裏写り発生」と判定できる。これに対して、裏写りが発生しない場合には、第１画像データに応じた画像、第２画像データに応じた画像は何れも、裏写りはなくて原稿表面の画像（ひらがな）のみとなるため、差分画像データにおけるほとんど全ての画素はその画素値が閾値（ＴＨａ）より小さくなる。よって、上記カウント値（Ｃ）が第１の閾値（ＴＨｂ）よリ小さい場合（Ｃ＜ＴＨｂ）に「裏写り無し」と判定できる。また、薄い原稿である場合、第１画像データに応じた画像では原稿表面の画像（ひらがな）に原稿裏面の画像（英文字）が裏写りしており、第２画像データに応じた画像では黒色のシート体３３も読み取られて全体が黒っぽくなるため、差分画像データにおける非常に多くの画素はその画素値が閾値（ＴＨａ）より大きくなる。よって、上記カウント値（Ｃ）が第２の閾値（ＴＨｃ）よリ大きい場合（Ｃ＞ＴＨｃ）に「厚さが薄い原稿」と判定できる。
【００３８】
このような裏写りの判定を実施するためのプリスキャンを終了した後、光走査系を副走査方向に移動させて本来のスキャン（本走査）を行って、原稿の画像を読み取る。この際、「裏写り発生」と判定された場合には（ステップＳ１０：ＹＥＳ）、裏写りを防止するためにシート体３３を黒色として本走査を行い（ステップＳ１１）、「裏写り発生」と判定されなかった場合には（Ｓ１０：ＮＯ）、シート体３３を白色として本走査を行う（ステップＳ１２）。そして、この本来のスキャンにて取得された画像データに基づく画像を、記録部１９にて、用紙にプリントアウトする（ステップＳ１３）。
【００３９】
なお、上述した実施の形態では、「厚さが薄い原稿」と判定した場合に、シート体３３を白色として本走査を行うこととしたが、シート体３３を白色にすれば裏写りが発生する可能性がある。よって、「厚さが薄い原稿」と判定された場合には、本走査の際にシート体３３を白色／黒色の何れにするかをユーザが選択できるようにしても良い。
【００４０】
また、上述した実施の形態では、プリスキャン時におけるシート体３３を白色（第１濃度の色）と黒色（第２濃度の色）とに変更する例について説明したが、白色と黒色とに限定されるものではなく、濃度が異なる２色の組み合わせであれば本発明は適用可能であり、例えば淡い黄色と黒色、白色と灰色などの組み合わせであっても良い。
【００４１】
また、上述した実施の形態では、プラテンカバー３２（原稿押さえ）のプラテンガラス３１（原稿台）側に電子ペーパにて構成されるシート体３３を設けるようにしたが、これとは異なり、プラテンカバー３２（原稿押さえ）自体を電子ペーパにて構成するようにしても良い。つまり、原稿押さえの原稿台に対向する側の面（原稿押さえ面）が第１濃度の色と第２濃度の色とに変更可能になるような構成であれば、その原稿押さえの構成は任意であって良い。
【００４２】
また、シート体３３を電子ペーパにて構成することとしたが、電子ペーパに代えて、液晶シート、エレクトロルミネッセンス（ＥＬ素子）などで構成しても良い。
【００４３】
また、複合機を例として説明したが、ＦＢＳ方式にて画像を読み取るコピー機、ファクシミリ装置などすべての画像処理装置に本発明を適用できることは勿論である。
【図面の簡単な説明】
【００４４】
【図１】本発明に係る画像処理装置としての複合機の構成例を示すブロック図である。
【図２】読取部の構成例を示す外観斜視図である。
【図３】読取部の内部構成図である。
【図４】複合機における動作手順を示すフローチャートである。
【図５】裏写りの発生を判定できる原理を説明するために各画像データに応じた各画像を模式的に示した図である。
【符号の説明】
【００４５】
１  複合機（画像処理装置）
１０  制御部
１５  読取部
１９  記録部
３１  プラテンガラス（原稿台）
３２  プラテンカバー（原稿押さえ）
３３  シート体
４１  ＣＣＤラインセンサ
【図１】
2009207093.tif 000003
【図２】
2009207093.tif 000004
【図３】
2009207093.tif 000005
【図４】
2009207093.tif 000006
【図５】
2009207093.tif 000007